(57)【特許請求の範囲】
【請求項１】
本体枠に形成された遊技盤保持部と、前記本体枠に形成されて前記遊技盤保持部の下方に位置する設置面部と、前記遊技盤保持部に対して前側から着脱可能で、表面側に遊技領域を有する遊技盤と、前記設置面部に配設されて前記遊技盤の盤面へ向けて遊技球を発射し得るよう傾斜し、所定の打球発射位置に遊技球を停止保持可能な発射レールと、前記発射レールの打球発射位置に停止保持した遊技球を打球する打球部とを備え、打球発射位置に停止保持した遊技球を前記打球部が打球した際に、前記発射レールに沿って発射された遊技球が遊技盤の上部位置へ到来するよう構成された遊技機であって、
前記本体枠に形成されて、該本体枠における前記発射レールによる遊技球の発射方向に位置する本体枠の左側部の全長に亘り前記遊技盤保持部の内側へ延出し、該遊技盤保持部に保持した遊技盤の裏面に対向する延出部と、
前記延出部に前方へ向けて突出形成されて該延出部の下部位置から上部位置まで延在する円弧状の第１リブと、
前記第１リブとの間を遊技球が通過し得る位置関係となるよう前記延出部に前方へ向けて突出形成されると共に前記第１リブより内側に位置し、該延出部の下部位置から上部位置まで延在する円弧状の第２リブと、
前記遊技盤保持部に遊技盤を保持した状態で、前記遊技盤の裏面、延出部、第１リブおよび第２リブにより遊技盤の裏面側に画成され、始端開口部を介して前記発射レールに沿って発射された遊技球を受入れ可能で受入れた遊技球を遊技盤の上部位置に案内する球案内通路と、
前記遊技盤の上部位置に前後に開口するよう開設した取付孔に取り付けられ、前記球案内通路の終端開口部に連通し、前記遊技領域内の上部位置で開口する発射口を有する発射口部材とを備え、
前記打球部の打球により前記発射レールに沿って発射された遊技球を、前記球案内通路を介して遊技盤の上部位置まで案内して前記発射口部材の発射口から前記遊技領域内に発射するよう構成すると共に、
前記延出部の延出端部は、該延出部の下部位置から上部位置に向けて前記本体枠の左側部側に湾曲する円弧状に形成され、
前記球案内通路の始端開口部が、遊技球を貯留可能な球皿に連通する球戻し通路部に形成された上下に開口する戻り口の上方に臨むと共に、前記第２リブが前記戻り口の上方に位置するよう形成された
ことを特徴とする遊技機。
【発明の詳細な説明】
【技術分野】
【０００１】
本発明は、打球装置により打ち出された遊技球が遊技領域を流下することで遊技が行なわれる遊技機に関するものである。
【背景技術】
【０００２】
代表的な遊技機であるパチンコ機は、外郭をなす外枠に対して、遊技盤を保持した中枠が開閉可能に組み付けられると共に、該中枠の前面側には、遊技盤を透視保護するガラス板を設けた前枠や、パチンコ球を貯留する球皿部材が組み付けられている。前記遊技盤には、略円形状に形成したレールにより遊技領域が画成されており、該遊技領域に図柄表示装置や各種入賞装置等の遊技部品が配置されている。また、前記中枠における遊技盤の下方位置には、前記球皿部材に貯留したパチンコ球を、前記遊技領域へ向けて打ち出させる打球発射装置が配設されており、該打球発射装置により遊技領域の上部位置に打ち出された遊技球が該遊技領域を流下することで所要の遊技が行なわれるようになっている。
【０００３】
ここで、前記打球発射装置により打ち出された遊技球を遊技領域の上部位置まで案内する構成としては、前記遊技盤の盤面に案内レールを設けることが一般的である。また、特許文献１には、遊技盤の前側に位置する前記前枠に、湾曲状の外方打球誘導レールと内方打球誘導レールとを設け、前記打球発射装置により打ち出されたパチンコ球を、この外方打球誘導レールおよび内方打球誘導レールの間を通過させて遊技盤の上部位置に案内する構成が開示されている。すなわち、前記前枠に外方打球誘導レールおよび内方打球誘導レールを形成することで、遊技盤に対するレールの取付作業を省略できるから、パチンコ機の組み付け作業を簡略化し得るようになっている。
【特許文献１】実公平６−３３９６６号公報
【発明の開示】
【発明が解決しようとする課題】
【０００４】
ところで、近年は前記遊技盤を大型化して遊技領域を拡大すると共に、該遊技盤(遊技領域内)に大型の図柄表示装置等を配設することにより、遊技演出の多様化やインパクト、迫力の向上を図り、遊技の面白みを増大させ得るパチンコ機が求められる傾向が強くなっている。しかし、遊技盤を大型化すると、該遊技盤を保持するパチンコ機の外形寸法も大きくする必要を生ずるが、遊技店の設置枠台に設置可能なパチンコ機の大きさは限られるため、遊技盤の大型化にも限界があり、遊技領域の拡大は困難な状況となっていた。
【０００５】
そこで、本発明は、遊技盤の大きさを変更することなく該遊技盤の盤面に画成する遊技領域を拡大し得る遊技機を提供することを目的する。
【課題を解決するための手段】
【００１４】
前記課題を克服し、所期の目的を達成するために、本願の請求項１に係る遊技機は、
本体枠(12)に形成された遊技盤保持部(25)と、前記本体枠(12)に形成されて前記遊技盤保持部(25)の下方に位置する設置面部(28)と、前記遊技盤保持部(25)に対して前側から着脱可能で、表面(20a)側に遊技領域(21)を有する遊技盤(20)と、前記設置面部(28)に配設されて前記遊技盤(20)の盤面へ向けて遊技球(S)を発射し得るよう傾斜し、所定の打球発射位置に遊技球(S)を停止保持可能な発射レール(35)と、前記発射レール(35)の打球発射位置に停止保持した遊技球(S)を打球する打球部(34)とを備え、打球発射位置に停止保持した遊技球(S)を前記打球部(34)が打球した際に、前記発射レール(35)に沿って発射された遊技球(S)が遊技盤(20)の上部位置へ到来するよう構成された遊技機であって、
前記本体枠(12)に形成されて、該本体枠(12)における前記発射レール(35)による遊技球(S)の発射方向に位置する本体枠(12)の左側部(12a)の全長に亘り前記遊技盤保持部(25)の内側へ延出し、該遊技盤保持部(25)に保持した遊技盤(20)の裏面(20b)に対向する延出部(37)と、
前記延出部(37)に前方へ向けて突出形成されて該延出部(37)の下部位置から上部位置まで延在する円弧状の第１リブ(38)と、
前記第１リブ(38)との間を遊技球(S)が通過し得る位置関係となるよう前記延出部(37)に前方へ向けて突出形成されると共に前記第１リブ(38)より内側に位置し、該延出部(37)の下部位置から上部位置まで延在する円弧状の第２リブ(39)と、
前記遊技盤保持部(25)に遊技盤(20)を保持した状態で、前記遊技盤(20)の裏面(20b)、延出部(37)、第１リブ(38)および第２リブ(39)により遊技盤(20)の裏面側に画成され、始端開口部を介して前記発射レール(35)に沿って発射された遊技球(S)を受入れ可能で受入れた遊技球(S)を遊技盤(20)の上部位置に案内する球案内通路(40)と、
前記遊技盤(20)の上部位置に前後に開口するよう開設した取付孔(23)に取り付けられ、前記球案内通路(40)の終端開口部に連通し、前記遊技領域(21)内の上部位置で開口する発射口(45a)を有する発射口部材(42)とを備え、
前記打球部(34)の打球により前記発射レール(35)に沿って発射された遊技球(S)を、前記球案内通路(40)を介して遊技盤(20)の上部位置まで案内して前記発射口部材(42)の発射口(45a)から前記遊技領域(21)内に発射するよう構成すると共に、
前記延出部(37)の延出端部は、該延出部(37)の下部位置から上部位置に向けて前記本体枠(12)の左側部(12a)側に湾曲する円弧状に形成され、
前記球案内通路(40)の始端開口部が、遊技球(S)を貯留可能な球皿(17)に連通する球戻し通路部(29)に形成された上下に開口する戻り口(27)の上方に臨むと共に、前記第２リブ(39)が前記戻り口(27)の上方に位置するよう形成されたことを要旨とする。
【００１５】
このように、遊技盤の裏面側に形成した球案内通路に、打球発射装置から打ち出された遊技球を通過させると共に、遊技盤における遊技領域の上部位置に開口した発射口を介して球案内通路に受入れた遊技球を遊技領域へ発射するよう構成したことで、遊技盤の表面側に遊技球案内用の案内レールを別途設ける必要がない。すなわち、同一の大きさの遊技盤に遊技領域を最大限大きく形成することができる。このため、遊技盤の遊技領域内に大型の遊技部品(例えば図柄表示装置や役物等)を配置して、遊技演出の多様化やインパクト、迫力の向上を図り、遊技の面白みを増大することが可能となる。
【００１６】
また、前記本体枠に延出部、第１リブおよび第２リブを形成して、該第１および第２リブを遊技盤の裏面に当接させることで前記球案内通路を形成するよう構成したことで、通路形成部を別部材として設ける場合に較べてコストの低減を図り得ると共に、組み付け作業を簡略化し得る利点がある。そして、球案内通路を本体枠側に設けることで、遊技盤の交換時に通路形成部を使い回すことができ、コスト低減に寄与し得る。更に、遊技盤に球案内通路を形成する必要がないから、遊技盤の構成を簡略化し得る。更に、発射口部材を設けることで、遊技盤には前後に開口する取付孔を開設するだけでよいから、遊技盤の加工が容易となる利点がある。
【発明の効果】
【００１７】
本発明に係る遊技機によれば、遊技盤の大きさを変更することなく遊技領域を拡大することができる。
【発明を実施するための最良の形態】
【００１８】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図１に示すようにパチンコ機を正面から見た状態において指称するものとする。
【実施例】
【００１９】
実施例に係るパチンコ機１０の概略構成について、図１を参照して説明する。パチンコ機１０は、外郭をなし、遊技場に設けられた島とも称される設置枠台(図示せず)に固定される外枠１１と、該外枠１１に対して着脱および開閉可能に枢支された中枠１２と、該中枠１２に着脱交換可能に取り付けられて所要の遊技領域２１が画成される遊技盤２０と、中枠１２の前面側に着脱および開閉可能に枢支されて、遊技盤２０を透視保護するガラス板(透明部材)１４を備えた前枠１３とを備えている。前記前枠１３には、前記ガラス板１４の下方位置にパチンコ球Ｓ(図２または図３等参照)を貯留可能な上球皿１５が一体的に組み付けられており、前枠１３の開閉に合わせて該上球皿１５も一体的に開閉するようになっている。また、前記中枠１２の前側における前記前枠１３の下方には、パチンコ球Ｓを貯留可能な下球皿１７を形成した球皿部材１６が着脱および開閉可能に組み付けられている。
【００２０】
ここで、前記遊技盤２０の表面(盤面)２０ａには、図３に示すように、略円形状に湾曲形成された仕切り部材２２が配設されており、該仕切り部材２２の内側に画成される遊技領域２１内に、図柄表示装置や入賞装置等の遊技用部品(何れも図示せず)が配置されている。前記遊技盤２０における遊技領域２１内の左上部には、前後に貫通する取付孔２３(図６参照)が開設されており、該取付孔２３に、後述する球案内通路４０を通過したパチンコ球Ｓを遊技盤２０の表面２０ａ側に発射させる変更案内部材(発射口部材)４２が取り付けられている。
【００２１】
前記中枠１２には、図２に示すように、前後方向に開口する遊技盤保持部２５が形成されて、該遊技盤保持部２５に遊技盤２０を前側から着脱し得るようになっている。また、前記中枠１２における前記遊技盤保持部２５の下方には、左右方向の略中央位置に設置面部２８が形成されて、該設置面部２８に打球発射装置３２を配設するようになっている。なお、前記中枠１２における設置面部２８の左方には、前記下球皿１７に連通する球戻し通路部２９を形成すると共に、該球戻し通路部２９の左方には、効果音出力用のスピーカ３０を配設してある。ここで、前記設置面部２８は、前記遊技盤保持部２５に保持した遊技盤２０の裏面２０ｂより後方に位置するよう形成される(図４参照)。
【００２２】
なお、前記遊技盤保持部２５の下端部には、前方へ突出する庇状部２６が形成されており、該庇状部２６が前記前枠１３の裏側に当接するようになっている。すなわち、前記中枠１２における遊技盤２０の設置領域と、前記設置面部２８、球戻し通路部２９およびスピーカ３０等の設置領域とを、前記庇状部２６で区画するよう構成される。なお、前記庇状部２６における前記球戻し通路部２９と対応する位置には、上下に開口する戻り口２７が形成されており、該戻り口２７の上方に、球案内通路４０の始端開口部４０ａが臨むようになっている。
【００２３】
前記打球発射装置３２は、図２または図４に示すように、ハンドル部材１８の操作に応じて作動する駆動手段としてのロータリーソレノイド３３と、該ロータリーソレノイド３３の回転軸３３ａ(図４参照)に接続する打球杆３４と、左方向へ向けて上方傾斜してパチンコ球Ｓを案内する発射レール３５とから基本的に構成される。そして、前記発射レール３５の傾斜下端部にはパチンコ球Ｓを停止保持する球規制部材(図示せず)が設けられており、前記ロータリーソレノイド３３の作動により打球杆３４を揺動することで、該打球杆３４が発射レール３５の傾斜下端部に停止保持したパチンコ球Ｓを打ち出すようになっている。ここで、前記発射レール３５は、前記遊技盤２０の裏面２０ｂより後方に位置するよう構成されており、前記打球杆３４により打ち出されたパチンコ球Ｓは、発射レール３５に沿って遊技盤２０の裏面２０ｂに発射される。なお以下の説明において、前記発射レール３５においてパチンコ球Ｓが停止保持される位置を打球発射位置と指称する。
【００２４】
図２に示すように、前記中枠１２における左側部１２ａ(発射レール３５によるパチンコ球Ｓの発射方向に位置する側部)には、前記遊技盤１９の裏面１９ｂとの間に球案内通路４０を形成する通路形成部３６が形成されている。前記通路形成部３６は、前記遊技盤保持部２５に臨む左側部１２ａの全長に亘って、該遊技盤保持部２５の内側へ延出する延出部３７と、該延出部３７の前面側(遊技盤２０と対向する面側)に前方へ向けて突出形成される第１リブ３８と、該延出部３７の前面側に第１リブ３８との間をパチンコ球Ｓが通過し得る位置関係となるよう前方へ向けて突出形成される第２リブ３９とから構成される。なお、実施例では、前記延出部３７において中枠１２における左側部１２ａに近接するリブを第１リブ３８と指称し、該第１リブ３８より内側に位置するリブを第２リブ３９とし称している。また、前記第１および第２リブ３８,３９の夫々は、前記延出部３７の下部位置から上部位置まで延在するよう円弧状に形成されて、その下方開口が前記戻り口２７の上方に臨むと共に、上方開口が前記変更案内部材４２の球入口４４ａに連通するよう構成される。
【００２５】
また、前記第１リブ３８および第２リブ３９の前記延出部３７からの突出寸法は、前記パチンコ球Ｓの直径寸法以上で、かつ前記遊技盤保持部２５に保持した遊技盤２０の裏面２０ｂに当接する寸法に設定されており、該遊技盤２０の裏面２０ｂ、延出部３７、第１リブ３８および第２リブ３９の夫々によりパチンコ球Ｓが通過可能な球案内通路４０が画成される。すなわち、前記球案内通路４０は、その上端部および下端部の夫々で開口するようになっており、この下方開口部(以下始端開口部４０ａという)が前記戻り口２７の上方に臨み、上方開口部(以下、終端開口部４０ｂという)が前記変更案内部材４２の球入口４４ａに臨むようになっている。すなわち、前記発射レール３５に沿って発射されたパチンコ球Ｓは、前記始端開口部４０ａを介して球案内通路４０に進入して、前記終端開口部４０ｂを介して前記変更案内部材４２に案内されるようになっている。
【００２６】
前記変更案内部材４２は、図５または図６に示すように、前記遊技盤２０に開設した取付孔２３に挿入可能な本体部４３と、該本体部４３に形成されて前記球案内通路４０の終端開口部４０ｂに連通する第１変更通路(第１変更部)４４と、本体部４３に形成されて第１変更通路４４に連通し、遊技盤２０の遊技領域２１に開口する第２変更通路(第２変更部)４５と、本体部４３に形成され、遊技盤２０の表面２０ａに当接して位置決めするフランジ部(遊技盤取付用フランジ)４３ａとから構成されている。ここで、前記フランジ部４３ａには、複数箇所に通孔４３ｂが穿設されており、該通孔４３ｂを介して変更案内部材４２を遊技盤２０にネジ止めするようになっている。なお、前記本体部４３を遊技盤２０の取付孔２３に挿入して前記フランジ部４３ａを遊技盤２０の表面２０ａに当接させた際には、前記第１変更通路４４の球入口４４ａが前記球案内通路４０の終端開口部４０ｂに連通すると共に、前記第２変更通路４５の球出口４５ａが遊技盤２０の表面２０ａで開口するようになっている。すなわち、前記第２変更部材は、前記本体部４３の右方向に開口して、該第２変更通路４５の球出口４５ａがパチンコ球Ｓの発射口として機能する。そこで、以下の説明において、第２変更通路４５の球出口４５ａについては発射口と指称して説明する。
【００２７】
前記第１変更通路４４は、図６に示すように、遊技盤２０の裏面２０ｂから表面側に向けて円弧状に湾曲するよう形成されて、本体部４３における遊技盤２０の表面２０ａ側で開口するようになっている。すなわち、前記第１変更通路４４は、前記球案内通路４０から到来するパチンコ球Ｓの進行方向を、遊技盤２０の表面２０ａ側へ向くよう変更する。また、前記本体部４３に前面には、前記第１変更通路４４の前側で開口する開口部４４ｂの上方位置で前方へ向けて突出する第１画壁４６ａ、該開口部４４ｂの下方位置で前方へ向けて突出する第２画壁４６ｂおよび該開口部４４ｂの左方位置で前方へ向けて突出する第３画壁４６ｃが夫々形成されると共に、該第１〜第３画壁４６ａ,４６ｂ,４６ｃの前端を、前記ガラス板１４に平行な第４画壁４６ｄで接続するよう構成されており、これら第１〜第４画壁４６ａ,４６ｂ,４６ｃ,４６ｄにより前記第２変更通路４５が画成されている。ここで、前記第４画壁４６ｄの内面には、ウレタンゴム等の衝撃緩衝し得る緩衝部材４７が取り付けられている。すなわち、前記第１変更通路４４から第２変更通路４５に到来したパチンコ球Ｓは、前記緩衝部材４７に当接することで、その進行方向を遊技盤２０の表面２０ａに対して平行な方向へ向くように変更されて、前記発射口４５ａから遊技盤２０の遊技領域２１内に発射される(図２または図６参照)。
【００２８】
〔実施例の作用〕
次に、実施例に係るパチンコ機１０の作用につき説明する。
【００２９】
前記遊技盤２０の左上部位置に開設した取付孔２３に、前記変更案内部材４２の本体部４３を前側から挿入して、遊技盤２０の表面２０ａに変更案内部材４２のフランジ部４３ａを当接させる。そして、フランジ部４３ａに穿設した通孔４３ｂを介して遊技盤２０にネジ止めして前記変更案内部材４２を固定し、この遊技盤２０を、前記中枠１２に設けた遊技盤保持部２５に前側から組み付ける。このとき、前記中枠１２の延出部３７に形成した第１および第２リブ３８,３９の前端縁の夫々が前記遊技盤２０の裏面２０ｂに当接して、パチンコ球Ｓが通過可能な球案内通路４０を画成する。ここで、前記中枠１２の設置面部２８に配設した打球発射装置３２の発射レール３５が、前記球案内通路４０に指向するよう設定されているから、該発射レール３５の打球発射位置に停止保持したパチンコ球Ｓを打球杆３４が打ち出すと、この打ち出されたパチンコ球Ｓが始端開口部４０ａを介して前記球案内通路４０に進入し、該球案内通路４０を通って遊技盤２０裏側の上部位置まで案内される。
【００３０】
ここで、図６に示すように、前記球案内通路４０の終端開口部４０ｂには、前記遊技盤２０に取り付けた前記変更案内部材４２の第１変更通路４４が連通しているから、該球案内通路４０を通過したパチンコ球Ｓは、該終端開口部４０ｂからの第１変更通路４４に到来する。前記第１変更通路４４は、前記遊技盤２０の裏面２０ｂ側から表面側に向けて円弧状に湾曲するよう形成してあるから、前記球案内通路４０から到来したパチンコ球Ｓの進行方向は遊技盤２０の表面２０ａ側へ向くよう変更され、変更案内部材４２の本体部４３の前面側に開口する開口部４４ｂから第２変更通路４５に移動する。前記第２変更通路４５に到来したパチンコ球Ｓは、前記本体部４３の開口部４４ｂに対向する緩衝部材４７に当接して進行方向を遊技盤２０の表面２０ａに対して平行な方向へ向くように変更されて、第２変更通路４５の発射口４５ａから遊技盤２０の遊技領域２１内に発射される。ここで、前記第２変更通路４５に到来したパチンコ球Ｓは、前記本体部４３の開口部４４ｂに対向する緩衝部材４７に当接するから、遊技盤２０の前側に位置するガラス板１４にパチンコ球Ｓが直接衝突することはなく、該ガラス板１４の損傷を防止できる。
【００３１】
このように、遊技盤２０の裏面２０ｂ側に形成した球案内通路４０に、打球発射装置３２から打ち出されたパチンコ球Ｓを通過させると共に、球案内通路４０に受入れたパチンコ球Ｓを、遊技盤２０における遊技領域２１の上部位置に設けた変更案内部材４２の発射口４５ａから遊技領域２１内へ発射するよう構成したことで、遊技盤２０の表面２０ａ側に遊技球発射用の案内レールを別途設ける必要がない。すなわち、同じの大きさの遊技盤２０に対して最大限大きな遊技領域２１を形成することができるから、該遊技領域２１内に大型の遊技部品(例えば図柄表示装置や役物等)を配置して、遊技演出の多様化やインパクト、迫力の向上を図り、遊技の面白みを増大することが可能となる。
【００３２】
具体的に説明すると、従来のパチンコ機では，図７(b)に示すように、遊技盤５０の表面５０ａに、外レール５２と内レール５３とを配設して、該内レール５３の内側に遊技領域５１を画成すると共に、打球発射装置３２から発射されたパチンコ球Ｓを外レール５２と内レール５３との間に画成される発射通路５４を通過させて遊技領域５１に発射するよう構成される。このため、従来例に係る遊技盤５０では、遊技領域５１の左右方向の幅寸法Ｌ２は、内レール５３の内側だけに限られるのに対し、実施例では、遊技盤２０に設けた仕切り部材２２の左右方向の幅寸法Ｌ１に亘って遊戯領域２１の広さを確保し得る。すなわち、実施例のように遊技盤２０の裏面２０ｂ側に球案内通路４０を設けることで、遊技盤２０の表面２０ａ側に画成される遊技領域２１の幅寸法を、従来構成の遊技盤５０に較べて発射通路５４の形成分だけ拡げることができる。
【００３３】
また、前述したように、前記中枠１２に通路形成部３６(延出部３７、第１リブ３８および第２リブ３９)を形成したことで、前記中枠１２の遊技盤保持部２５に遊技盤２０を保持するだけで遊技盤２０の裏面２０ｂに第１および第２リブ３８,３９が当接して球案内通路４０が形成される。従って、遊技盤２０の裏面２０ｂに、球案内通路４０を形成する別部材を取り付ける構成や、該遊技盤２０自体を切削等して球案内通路４０を形成する構成に較べて、組み付け作業や加工作業等の煩雑な作業が省略でき、遊技盤２０の構成を簡略化してコストの低減を図り得る。また、遊技盤２０とは別の中枠１２に通路形成部３６(延出部３７、第１リブ３８および第２リブ３９)を形成してあるから、機種変更等において遊技盤２０を交換する際に、該通路形成部３６(延出部３７、第１リブ３８および第２リブ３９)をそのまま使い回すことができ、廃棄物やコストの低減に寄与し得る利点もある。
【００３４】
また、実施例では、前記打球発射装置３２で打ち出されて遊技盤２０の裏面２０ｂ(球案内通路４０)を通過するパチンコ球Ｓの進行方向を、前記変更案内部材４２に設けた第１変更通路４４により遊技盤２０の表面２０ａ側へ向くよう変更すると共に、該第１変更通路４４で遊技盤２０の表面２０ａ側へ向くよう変更したパチンコ球Ｓの進行方向を、該変更案内部材４２に設けた第２変更通路４５により遊技盤２０の表面２０ａに対して平行な方向へ向くように変更するよう構成してあるから、パチンコ球Ｓをスムーズに遊技領域２１に案内することができる。すなわち、前述のようにパチンコ球Ｓを遊技盤２０の裏面２０ｂ(球案内通路４０)を通過させて遊技盤２０の遊技領域２１を大きくし得るよう構成した場合であっても、打球発射装置３２が打ち出したパチンコ球Ｓを前記変更案内部材４２で遊技盤２０の表面２０ａに対して平行な方向へ向くよう遊技領域２１内に発射させ得るから、パチンコ球Ｓを遊技盤２０の遊技領域２１を流下させて従来のパチンコ機１０と同様の遊技を行なうことが可能となる。
【００３５】
また、実施例では、前記第１変更通路４４および第２変更通路４５を、遊技盤２０とは別の単一の変更案内部材４２に形成して、該変更案内部材４２を遊技盤２０に開設した取付孔２３に嵌挿固定するようにしたから、該第１変更通路４４および第２変更通路４５を遊技盤２０に直接形成する場合や、第１変更通路４４および第２変更通路４５の夫々を異なる部材に形成する場合に較べて、製造効率を向上してコスト低減を図り得る利点がある。更に、前記変更案内部材４２にフランジ部４３ａを形成して、該フランジ部４３ａを遊技盤２０の表面２０ａに当接させることで、前記球案内通路４０が第１変更通路４４に連通すると共に、第２変更通路４５が遊技領域２１内に開口するよう構成してある。従って、前記変更案内部材４２は、前記フランジ部４３ａが遊技盤２０の表面２０ａに当接するまで本体部４３を取付孔２３に差し込むだけで、変更案内部材４２を遊技盤２０に対して容易に位置決めすることができ、組み付け作業を簡単に行ない得る。なお、前記遊技盤２０に複雑な加工をすることなく、前記変更案内部材４２を取り付ける取付孔２３を開設するだけでよいから、コスト低減に寄与し得る利点もある。
【００３６】
〔変更例〕
なお、本発明に係る遊技機の構成としては、実施例のものに限らず、種々の変更が可能である。
【００３７】
実施例では、通路形成部の第１および第２リブが遊技盤の裏面に当接することで前記球案内通路を形成するようにしたが、該通路形成部と遊技盤の裏面との間に遊技球が通過可能な球案内通路が形成されるようにすれば、これら第１および第２リブが遊技盤の裏面に当接する必要はない。すなわち、通路形成部の第１および第２リブが遊技盤の裏面から離間する構成や、該遊技盤に溝を形成して第１および第２リブを臨ませる構成であっても、通路形成部と遊技盤の裏面とにより遊技球が通過可能な球案内通路が画成されればよい。
【００３９】
実施例では、第１変更通路および第２変更通路を形成した変更案内部材(発射口部材)を遊技盤の取付孔に取り付けるよう構成したが、これに限られるものではなく、第１変更通路と第２変更通路とを、異なる部材に形成して遊技盤に取り付けるようにしてもよい。
【００４０】
また、実施例では、球案内通路を通過する遊技球の進行方向を遊技盤の表面側へ向くよう変更する第１変更部として、円弧状に湾曲形成した前記第１変更通路を形成するようにしたが、これに限定されるものではなく、遊技球の進行方向を遊技盤の表面側へ向くよう変更し得る形状・構成であれば、任意に変更することができる。同様に、実施例では、遊技球の進行方向を遊技盤の表面に対して平行な方向へ向くように変更する第２変更部として、第１〜第４画壁により画成して第２変更通路を設けるようにしたが、これに限られるものではない。例えば、図８に示すように、第２変更通路(第２変更部)５５を、実施例に係る第１変更通路(第１変更部)４４と同様に、円弧状に湾曲形成するようにして第２変更通路５５の球出口(発射口５５ａ)から発射された遊技球(実施例ではパチンコ球Ｓ)の進行方向が、遊技盤２０の表面２０ａに対して平行な方向へ向くようにしてもよい。図８において、実施例と同一の部材には同一の符号を得してある。
【００４１】
また、第２変更部としては、前述した通路に限られるものではなく、透明部材に衝撃緩衝用の緩衝シールを第２変更部として貼着し、該緩衝シールに第１変更部から到来する遊技球を衝突させることで、遊技球の進行方向を遊技盤の表面に対して平行な方向へ向くように変更させることも可能である。
【００４２】
また、実施例では、遊技機としてパチンコ機を例示して説明したが、これに限られるものではなく、本体枠に形成した遊技盤保持部に着脱可能に保持され、表面側に遊技領域が形成された遊技盤と、前記遊技盤における遊技領域の上部位置へ向けて遊技球を打ち出す打球発射装置とを備えた遊技機であれば、アレンジボール機等の従来公知の各種遊技機を採用し得る。
【図面の簡単な説明】
【００４３】
【図１】本発明の実施例に係るパチンコ機を示す正面図である。
【図２】実施例に係る前枠、球皿部材および遊技盤を取り外した状態で示すパチンコ機の正面図である。
【図３】実施例に係る遊技盤を示す正面図である。
【図４】実施例に係るパチンコ機を設置面部で縦断した状態で拡大して示す要部側面図である。
【図５】実施例に係る変更案内部材を示す斜視図であって、(a)は変更案内部材を背面側から見た状態を示し、(b)は変更案内部材を正面側から見た状態を示す。
【図６】実施例に係る遊技盤を、変更案内部材の配設位置で破断した状態を概略で示す要部断面図である。
【図７】実施例に係る遊技盤の遊技領域と、従来例に係る遊技盤の遊技領域とを比較する説明図であって、(a)は実施例に係る遊技盤を示す正面図であって、(b)は従来例に係る遊技盤を示す正面図である。
【図８】変更例に係る遊技盤を、変更案内部材の配設位置で破断した状態を概略で示す要部断面図である。
【符号の説明】
【００４４】
１２  中枠(本体枠)，１２ａ  左側部，１７  下球皿(球皿) 
２０  遊技盤，２０ａ  表面，２０ｂ  裏面，２３  取付孔，２５  遊技盤保持部
２７  戻り口，２８  設置面部，２９  球戻し通路部，３２  打球発射装置
３４  打球杆(打球部)，３５  発射レール，３６  通路形成部，３７  延出部
３８  第１リブ，３９  第２リブ，４０  球案内通路，４２  発射口部材
４５ａ  発射口，Ｓ  パチンコ球(遊技球)
【図１】
0004817801.tif 000002
【図２】
0004817801.tif 000003
【図３】
0004817801.tif 000004
【図４】
0004817801.tif 000005
【図５】
0004817801.tif 000006
【図６】
0004817801.tif 000007
【図７】
0004817801.tif 000008
【図８】
0004817801.tif 000009